(57)【特許請求の範囲】
【請求項１】
プラスティック製アンプルであって、
座（１１）を有するスリーブ状の首部（１）を有する、レセプタクル本体（３）と、
容器内容物のための吐出部（１３）を一方の端部に有し、且つ前記首部（１）の前記座（１１）に固定可能であって１つ以上の表面不規則部を有する、円筒状の周囲表面（９）をもう一方の端部に有する、インサート（５）と、を具備するプラスティック製アンプルにおいて、
前記レセプタクル本体（３）は、ブロー成形方法により成形され、容器内容物で充填され、更に前記首部（１）の内部が前記座（１１）を形成する状態で、前記インサート（５）の前記周囲表面（９）の外側に成形されており、
１つ以上の結節（２１）が前記周囲表面（９）に形成され、対応する窪み（２３）が前記首部（１）に形成されているか又は、１つ以上の窪みが前記周囲表面（９）に形成され、対応する結節が前記首部（１）に形成されており、
一つの表面不規則部は一つの結節（２１）によって形成され、
一つの前記結節（２１）は、一つの前記窪み（２３）に係合して、前記インサート（５）は、軸方向の動き及び前記レセプタクル本体（３）に対する回転動に対して固定される、ことを特徴とするプラスティック製アンプル。
【請求項２】
前記それぞれの結節（２１）は、球状の突起を形成する、ことを特徴とする請求項１に記載のプラスティック製アンプル。
【請求項３】
複数の結節（２１）が設けられることを特徴とする請求項１又は２に記載のプラスティック製アンプル。
【請求項４】
前記インサート（５）の前記周囲表面（９）は、円筒の形状で製作されており、
前記結節（２１）は、周囲方向に伸びる、少なくとも１つの円形の線に分配されるように設置される、ことを特徴とする請求項３に記載のプラスティック製アンプル。
【請求項５】
前記結節（２１）は、お互いから軸方向に所定距離で伸びる、数本の円形線上に設置される、ことを特徴とする請求項４に記載のプラスティック製アンプル。
【請求項６】
前記結節（２１）は、前記周囲方向において隣接する円形の線において、お互いから偏倚して設置される、ことを特徴とする請求項５に記載のプラスティック製アンプル。
【請求項７】
前記結節（２１）は、異なる寸法を有し、及び／又は異なる形状で形成される、ことを特徴とする請求項３から６のいずれか一項に記載のプラスティック製アンプル。
【請求項８】
前記インサート（５）は、細長い吐出部（１３）を有する中空部であり、前記吐出部（１３）は、前記レセプタクル本体（３）の首部（１）に保持されていて且つ前記吐出端部まで先細りの形状で伸張する、前記周囲表面（９）に接続しており、前記吐出端部に、清浄化可能である、前記吐出開口（７）が設置される、ことを特徴とする請求項１から７のいずれか一項に記載のプラスティック製アンプル。
【請求項９】
前記吐出開口（７）は、作動要素（１９）により穴開けすることにより、清浄化可能である、ことを特徴とする請求項８に記載のプラスティック製アンプル。
【請求項１０】
前記プラスティック製アンプルは、シールキャップ（１９）を有しており、前記シールキャップ（１９）は、作動要素として作用し、前記インサート（５）の外ねじ（１５）にねじ込み可能であり、前記シールキャップは、ねじ込まれる場合に前記吐出開口（７）をシール可能である、内側スパイク（２５）を具備する、ことを特徴とする請求項９に記載のプラスティック製アンプル。
【発明の詳細な説明】
【技術分野】
【０００１】
本発明は、レセプタクルに係り、より特別には、ブロー（吹込み）成形方法において特に製造される、プラスティック製アンプルが、モールド内に充填され且つシールされており、その際、スリーブ状の首部が、軸方向の伸張部として、レセプタクル本体に接続しており、事前成形されたインサート（挿入部）のための座（シート）を形成しており、首部は、インサートの周囲表面における成形型により成形されており、周囲表面は、境界のあるベース表面を有する少なくとも１つの表面の不規則性を備えており、従ってインサートの周囲表面に首部を成形することにより、それ（インサートの周囲表面）と首部との間に、固定要素を形成する、能動的固定部（ロック）が存在する。
【背景技術】
【０００２】
このタイプのレセプタクルにおいては、レセプタクル本体が、対象の容器の内容物と互換性のある、高密度又は低密度ポリエチレン、ポリプロピレン又は同様な材料等の熱可塑性材料から形成されており、このタイプのレセプタクルは、既知である（EP0803 442B1を参照）。これらのレセプタクルは、治療用又は美容のための目的のための液体を保持し且つ分配するように従来使用されており、液体は、レセプタクル本体の首部に設置される、インサートを介して、例えば、目薬等の液滴の直接的吐出のための滴下器形成出口等の、目的とする用途に従って事前成形可能な、出口又は吐出端部により吐出可能であり、滴下器開口を清浄化した後に、このことは、レセプタクルキャップをねじ回して取り外すことにより、一般的に実施される。これらのレセプタクルにおいて、インサートの吐出領域において、Luer（登録商標）接続部が、存在可能である。吐出領域の特別な実施形態に係わらず、容器の内容物を使用する前に、吐出領域は、インサートから取り外される、端部キャップ又はシールキャップにより覆うことが可能である。
【０００３】
インサートの吐出領域に作用する対応する負荷による強力な用途において、レセプタクル本体の首部の座内のインサートが、緩み、首部から外れて、レセプタクルの内容物が流出する危険性が存在する。この危険性を最小限にするために、既知の解決案（EP0803442B1）において、インサートの周囲表面に突起するリブは、表面の不規則性として形成され、一定の間隔で、基本的に周囲表面の全体的軸方向伸張部にわたる軸方向において、お互いから伸張する。レセプタクル本体の成形された首部と共に、これらのリブは、インサートが首部における回転に抗して固定される、歯を形成する。この歯が、トルクを収容するために適合されながら、軸方向において平行に伸びる、これらのリブは、首部に関するインサートの軸方向の動きに抗する適正な防御を提供しない。これに対抗するために、既知の解決案においてインサートの周囲表面の上部端部領域は、半径方向に突き出るフランジを提供しており、そのフランジの周りで、首部の材料は、首部のプラスティック材料がプラスティック材料のフランジの２つの側面にわたって伸張するように成形される。首部のプラスティック材料がその上を伸張する、半径方向に突き出るビーズ（数珠状部）が好ましくない外形を形成することに加えて、成形装置及び周囲インサート自体の複雑な実施形態の欠点が存在する。
【０００４】
DE10 2005 025 760A1はまた、レセプタクルを、特にはプラスティックアンプルを開示しており、そのプラスティックアンプルは、特にはブロー成形方法において製造されており、型（モールド）内に充填されシール（密封）されている。該アンプルは、首部を有し、首部は、レセプタクル本体に接続しており、首部には第１のキャップ部をねじ込み可能である。更にアンプルは、第２のキャップ部を有し、第２のキャップ部は、第１のキャップ部と首部との間に少なくとも部分的に伸張し、少なくとも１つの開口を有するレセプタクル本体を開くために開口手段を具備しており、第１のキャップ部によりシール可能であり、第１のキャップ部へのねじ込み方法により、第２のキャップ部を引っ張るので、第１のキャップ部をねじ回してはずした後に、開口スパイクの状態で一般的に形成される開口手段は、レセプタクルの開口を生じさせており、シールプラグの状態の閉鎖部は、開口手段の開口を清浄化し、そうすることにおいて、第２のキャップ部は首部に留まる。この様にして、２つの異なる開口方式は、所謂、開口キャップ装置の組み込み及びスパイク開口手段の使用により、唯一つのレセプタクルにより実行可能であり、スパイク開口手段は、膜状の閉じられた吐出開口に穴を開けることが出来る。
【発明の概要】
【発明が解決しようとする課題】
【０００５】
この従来技術に関して、本発明の目的は、単純で且つ光学的に好ましい構成を有する、レセプタクル本体の首部において、所定位置にインサートを信頼可能に固定できるタイプのレセプタクルを実現可能にすることである。
【０００６】
本発明により、この目的は、全体的に請求項１の特徴を有する、レセプタクルにより実現される。
【課題を解決するための手段】
【０００７】
そこでは、請求項１の特徴部分に規定されるように、基本的に周囲表面全体にわたって、軸方向に伸張するリブ（構造材）の代わりに、軸方向に制限された伸張部の１つ以上の表面不規則部が存在しており、該不規則部は、レセプタクル本体の成形された首部と、インサートとの間に能動的固定部を結果として形成しており、トルクに抗して作用するだけではなく、軸方向の力にも抗して作用する。
【０００８】
好適な実施の形態において、それぞれの表面不規則部は、結節により形成され、それぞれの結節は、断面で見ると、円形、半円形又は、特には三角形又は四角形である多角形で形成可能である。
【０００９】
特に好適な実施の形態において、結節は、球状の突起を形成し、インサートの周囲表面に、突起状の盛上がりが形成されることが好ましい。内側に尖った結節は、特には、インサートの周囲表面の窪みにより形成可能であることは言うまでもない。インサートの円形円筒状の周囲表面に関して、結節が、周囲方向に伸びる、少なくとも１つの円形の線に分配されるように設置されるような構成であることが好ましい。
【００１０】
特に好適な実施の形態において、結節は、お互いから軸方向に所定距離で伸びる、数本の円形線上に設置される。
【００１１】
この関係において、例えば、結節は、周囲方向において隣接する円形の線において、お互いから偏倚（オフセット）して設置されるような、異なるパターンの結節の配置であっても良い。
【００１２】
円形の線において、結節（２１）は、異なる寸法を有し、及び／又は異なる形状で形成されても良い。
【００１３】
特に好適な実施の形態に関して、レセプタクルは、シールキャップを有しており、このシールキャップは、インサートの外ねじにねじ込み可能である。レセプタクルは、内側スパイクを具備可能であり、この内側スパイクにより、インサート上の吐出開口は、ねじ込まれる場合に、穴開けられることが可能である。
【００１４】
本発明は、図面に示される実施の形態を使用して以下で詳述される。
【図面の簡単な説明】
【００１５】
【図１】図１は、長手方向に切断されたレセプタクルの１つの実施の形態の斜め立体図を示しており、本発明を図解するために、インサートは、レセプタクル本体の首部から取り外された位置に示される。
【図２】図２は、前記実施の形態のインサートだけの側面図であり、図１に比べて若干拡大して示される。
【図３】図３は、第２の実施の形態のインサートの側面図であり、図２に対応する。
【図４】図４は、図２及び３と同様な別の実施の形態のインサートの側面図である。
【図５】図５は、図１から４に従う実施の形態の構成要素としてのシールキャップの更に別の拡大長手断面図である。
【発明を実施するための形態】
【００１６】
本発明は、実施の形態を使用して以下で説明されており、この実施の形態において、アンプル状のレセプタクル本体３の首部１において、インサート５が設置されており、そのインサート５は、滴下器として形成され、例えば、目薬等の治療又は美容目的のための液体等の容器内容物が一滴づつ吐出可能な吐出開口７を有する。以下に詳述されるように、インサートは、レセプタクル本体３のスリーブ状首部１の座（シート）１１に固定可能である、周囲表面９を有すると想定すれば、異なった形で製作可能である。図示される実施の形態において、インサートは、吐出部１３に接続する円筒状周囲表面９を有する中空体であり、吐出部１３は、端部側吐出開口７に向かって先細っており、吐出部１３の周囲領域に、外ねじ１５が設けられ、前記外ねじ１５に対して、図５だけに図示されるシール（密封）キャップ１９の内ねじ１７が、ねじ込み可能である。
【００１７】
従来のブロー成形方法の１つによる製造において、レセプタクル本体３は、先ず首部１の最終的形状成形を保証することなしで成形される。型に、その後容器内容物が加えられる。首部１の最終的形状成形前に、事前成形されたインサート５は、成形手段内に配置されるので、可動な成形ジョー（顎部）が首部１を成形する位置に、それ（インサート５）は設置されて、首部の内側が、インサート５の周囲表面９の外側に対して座１１を形成する状態で、首部は成形される。図面から分かるように、周囲表面９は、連続的表面を形成しないが、しかし表面不規則性を有し、その表面不規則性は、周囲表面９から突き出る盛上がり部により図解例において形成されており、それは図解例において、結節（ナブ）２１であり、その結節は図２と４において全てに番号が付けられている訳ではない。首部１が、結節２１に対して成形される時に、首部１の座１１の内面において、対応する窪み２３が存在しており、その窪み２３は、インサート５に突起するように形成される結節２１により押圧されており、インサート５は、比較的より安定した形状である。インサート５の突起する結節２１の代わりに、首部１が座１１において成形される場合に、同様に良好に、結節形状の首部のプラスティック材料が嵌合する窪みを設けることが出来ることは言うまでもない。とにかく、インサート５の周囲表面９における表面不規則性は、首部１が成形される時に、能動的固定部を生じ、それにより、インサート５は、軸方向の動き及び回転運動の両者に抗して、レセプタクル本体３に対して固定される。
【００１８】
図３は、単純に少数の結節が存在し、唯一の結節２１だけが示される実施の形態を示すが、他方で図１，２及び４は、各結節２１が、お互いに平行に伸びる円形線における周囲表面９の周辺方向に分配されるように配置される、パターンの結節２１の配置を示す。ここで図２は、２つの列の結節２１が軸方向に平らに配置される例を示す一方で、図４は、２つの列の結節２１がお互いに対して千鳥状に配置された例を示す。図は、同一に形成され且つ同一寸法を有する、球形状の結節２１を示すが、他方で列の範囲内及び／又は列から列への範囲内において相違する、異なる寸法及び形状の結節が設けられても良いことは言うまでもない。
【００１９】
図１は、吐出開口７が事前成形されるが、しかし内側端部で閉じられることを示す。既に説明したように、図５は、内ねじ１７を有するシールキャップ１９であって、インサート５の外ねじ１５にねじ込み可能なシールキャップ１９を示す。図５に示されるものと同様に、キャップ底部のシールキャップ１９は、中央の突起状スパイク２５を有しており、そのスパイク２５は、キャップ１９がインサート５に完全にねじ込まれると、吐出開口７がスパイク２５により閉じられるように配置され、寸法決めされる。スパイク２５はまた、それがねじ込みの工程において、密閉的にシールされた容器開口に穴を開けるように製作可能である。
【００２０】
図解される実施の形態において、インサート５は、滴下器のタイプを形成する、１つの吐出部１３を有するが、他方で任意のタイプ又は任意の形状のインサートが存在することが出来、その周囲表面において、関連するレセプタクル本体３の首部１が、周囲表面９の軸方向の伸張部に比べてかなりより小さい軸方向の伸張部を有する、周囲表面９に設けられた表面不規則性が、ここで図示されるタイプの接続部である首部への接続部を形成するように成形可能であることは言うまでもない。従って、例えば、インサートは、噴射針により穴開け可能な停止部と、例えば、ねじ閉鎖部により閉鎖可能で、より大きな寸法を有する吐出開口と、Leur（登録商標）接続部のための手段と、ねじ式キャップにより、所定の場所において手でねじ回して取り外し可能な成形閉鎖部等を具備可能である。
【図１】
0005385157.tif 000002
【図２】
0005385157.tif 000003
【図３】
0005385157.tif 000004
【図４】
0005385157.tif 000005
【図５】
0005385157.tif 000006